(57)【要約】      （修正有）【課題】部品点数を極力少なくするとともに装置の小型化を図ることにより、加工や組み立てを簡単に行えるドアクローザ用ストップ装置を提供する。【解決手段】このドアクローザ用ストップ装置のストップ機構は、リンクに固定接続するとともに、ブラケットに対するリンクの回転動作の中心軸線方向に開口する開口部を備える機構本体部２１と、機構本体部２１が備える開口部に貫通して設けられるとともに、ブラケットが固定接続されるストップ軸２３と、ストップ軸２３の外周面に転動自在な状態で接触して配置された一対の係止部材２５と、外観略Ｕ字形をするとともに、当該略Ｕ字形が有する一対の開放端部２７ａによって一対の係止部材２５を外方側からストップ軸２３の方向に向けて挟み込むように付勢する付勢手段２７と、を備え、ストップ軸２３は、外周面に一対の係止部材２５が係止可能な一対の係止凹部２３ｂを備える。【選択図】図７
2018119367.tif 000002
【特許請求の範囲】
【請求項１】
ドアの枠体に取り付けられるブラケットと、
前記ドアに取り付けられるドアクローザ本体に対して回転可能に設けられるアームに接続するリンクと、
前記ブラケットと前記リンクとの連結部分に設けられる枢着部と、
を備え、
前記枢着部は、ストップ機構を有し、
前記ストップ機構によって、前記ブラケットに対して回転自在に設けられる前記リンクが所定の位置で回転動作を停止するように構成されるドアクローザ用ストップ装置において、
前記ストップ機構は、
前記リンクに固定接続するとともに、前記ブラケットに対する前記リンクの回転動作の中心軸線方向に開口する開口部を備える機構本体部と、
前記機構本体部が備える前記開口部に貫通して設けられるとともに、前記ブラケットが固定接続されるストップ軸と、
前記ストップ軸の外周面に転動自在な状態で接触して配置された一対の係止部材と、
外観略Ｕ字形をするとともに、当該略Ｕ字形が有する一対の開放端部によって前記一対の係止部材を外方側から前記ストップ軸の方向に向けて挟み込むように付勢する付勢手段と、
を備え、
前記ストップ軸は、外周面に前記一対の係止部材が係止可能な一対の係止凹部を備えることを特徴とするドアクローザ用ストップ装置。
【請求項２】
請求項１に記載のドアクローザ用ストップ装置において、
前記一対の係止部材が、略円筒形をしたローラとして構成されることを特徴とするドアクローザ用ストップ装置。
【請求項３】
請求項２に記載のドアクローザ用ストップ装置において、
前記ローラの下方側の端部は、前記機構本体部が備える前記開口部に形成された段差形状と接するように構成されており、
前記ローラの下方側の端部と前記段差形状とが点接触するように構成されていることを特徴とするドアクローザ用ストップ装置。
【発明の詳細な説明】
【技術分野】
【０００１】
本発明は、ドアを所定の開度で停止させるためのドアクローザ用ストップ装置に関するものである。
【背景技術】
【０００２】
従来から、ドアを所定の開度で停止させるためのドアクローザ用ストップ装置が公知である。この種のストップ装置は、ドアクローザを構成する装置として用いられており、例えば、ドアの枠体に固定されるブラケットを有し、リンクおよびアームを介してドアに固定されるドアクローザ本体に連結され、ドアの開閉動作に連動して相対回転するブラケットとリンクとの連結部分にストップ装置が設けられている。
【０００３】
そして、ドアクローザ用ストップ装置における停止機構が従来から種々提案されている。例えば、下記特許文献１には、製造が容易なドアクローザ用ストップ装置が開示されている。この装置の構成は、支軸には径方向に突出した係合突起が設けられ、操作部材には、係合突起と凹凸係合可能な係合部が少なくとも軸線方向一端面に開口するように設けられ、操作部材を被固定部材側に移動させてセレーションを噛み合わせると、係合突起が係合部内から軸線方向一端側に抜け出て操作部材は支軸に対して回転可能となり、該セレーションの噛み合い状態から操作部材を回転させると、係合突起が操作部材の軸線方向一端面に当接して操作部材の軸線方向一端側への移動を阻止することによりセレーションの噛み合い状態が維持される、というものである。そして、かかる構成を備えることで、下記特許文献１に記載された発明は、ストップ装置の製造が従来に比して容易となり、また、係合突起が外部から目視可能とすることにより、ドアの開放位置の変更作業が完了したか否かを係合突起を目視することによって容易に確認することができる、といった効果を得ることができるとされている。
【先行技術文献】
【特許文献】
【０００４】
【特許文献１】特許第３９８３０４６号公報
【発明の概要】
【発明が解決しようとする課題】
【０００５】
しかしながら、上掲した特許文献１に係るドアクローザ用ストップ装置では、ストップ装置内部に付勢手段を内蔵させる構造である関係上、加工や組み立てに時間を要してしまうという課題が存在していた。つまり、当該技術分野では、加工や組み立てを簡単に行うことのできるドアクローザ用ストップ装置が求められていた。そして、かかる課題を解決する手法として、発明者らは、部品点数を極力少なくすることで、上記課題の解決を図ることとした。さらに、部品点数を極力少なくしたドアクローザ用ストップ装置を実現できれば、装置の小型化を図ることも可能となる。
【０００６】
本発明は、上述した従来技術に存在する課題に鑑みて成されたものであり、その目的は、部品点数を極力少なくするとともに装置の小型化を図ることにより、加工や組み立てを簡単に行うことができる新たなドアクローザ用ストップ装置を提供することにある。
【課題を解決するための手段】
【０００７】
以下、本発明について説明する。なお、本発明の理解を容易にするために添付図面の参照番号を括弧書きにて付記するが、それにより本発明が図示の形態に限定されるものではない。
【０００８】
本発明に係るドアクローザ用ストップ装置（１０）は、ドア（Ｄ）の枠体（Ｗ）に取り付けられるブラケット（１）と、前記ドア（Ｄ）に取り付けられるドアクローザ本体（２）に対して回転可能に設けられるアーム（４）に接続するリンク（３）と、前記ブラケット（１）と前記リンク（３）との連結部分に設けられる枢着部（Ａ）と、を備え、前記枢着部（Ａ）は、ストップ機構（２０）を有し、前記ストップ機構（２０）によって、前記ブラケット（１）に対して回転自在に設けられる前記リンク（３）が所定の位置で回転動作を停止するように構成されるドアクローザ用ストップ装置（１０）であって、前記ストップ機構（２０）は、前記リンク（３）に固定接続するとともに、前記ブラケット（１）に対する前記リンク（３）の回転動作の中心軸線（α）方向に開口する開口部（２１ａ）を備える機構本体部（２１）と、前記機構本体部（２１）が備える前記開口部（２１ａ）に貫通して設けられるとともに、前記ブラケット（１）が固定接続されるストップ軸（２３）と、前記ストップ軸（２３）の外周面に転動自在な状態で接触して配置された一対の係止部材（２５）と、外観略Ｕ字形をするとともに、当該略Ｕ字形が有する一対の開放端部（２７ａ）によって前記一対の係止部材（２５）を外方側から前記ストップ軸（２３）の方向に向けて挟み込むように付勢する付勢手段（２７）と、を備え、前記ストップ軸（２３）は、外周面に前記一対の係止部材（２５）が係止可能な一対の係止凹部（２３ｂ）を備えることを特徴とするものである。
【０００９】
また、本発明に係るドアクローザ用ストップ装置（１０）では、前記一対の係止部材（２５）が、略円筒形をしたローラとして構成されることが好適である。
【００１０】
さらに、本発明に係るドアクローザ用ストップ装置（１０）において、前記ローラ（２５）の下方側の端部は、前記機構本体部（２１）が備える前記開口部（２１ａ）に形成された段差形状（２１ｃ）と接するように構成されており、前記ローラ（２５）の下方側の端部と前記段差形状（２１ｃ）とが点接触するように構成されていることとすることができる。
【発明の効果】
【００１１】
本発明によれば、部品点数を極力少なくするとともに装置の小型化を図ることにより、加工や組み立てを簡単に行うことができる新たなドアクローザ用ストップ装置を提供することが可能となる。
【図面の簡単な説明】
【００１２】
【図１】本実施形態に係るドアクローザ用ストップ装置が組み込まれたドアクローザの全体構成を示す斜視図である。
【図２】本実施形態に係るドアクローザ用ストップ装置の外観を示す図である。
【図３】図２で示した本実施形態に係るドアクローザ用ストップ装置の縦断面を示す図である。
【図４】本実施形態に係るドアクローザ用ストップ装置の要部を示した部分上面図であり、図２で示したドアクローザ用ストップ装置からブラケット１とリンク３が取り外された状態が示されている。
【図５】図２で示した本実施形態に係るドアクローザ用ストップ装置の要部を下方側から見た場合の図が示されている。
【図６】図２中の符号ＶＩ−ＶＩ断面を示す縦断面部分拡大図である。
【図７】本実施形態に係るドアクローザ用ストップ装置の動作を説明するための図であって、図２中の符号ＶＩＩ−ＶＩＩ断面を示す図であり、図中の分図（ａ）は、ストップ機構が解除された状態を示し、分図（ｂ）は、ストップ機構が機能する直前の状態を示し、分図（ｃ）は、ストップ機構が機能した状態を示している。
【発明を実施するための形態】
【００１３】
以下、本発明を実施するための好適な実施形態について、図面を用いて説明する。なお、以下の実施形態は、各請求項に係る発明を限定するものではなく、また、実施形態の中で説明されている特徴の組み合わせの全てが発明の解決手段に必須であるとは限らない。
【００１４】
まず、本実施形態に係るドアクローザ用ストップ装置の形態例について、図面を参酌しつつ説明する。ここで、図１は、本実施形態に係るドアクローザ用ストップ装置が組み込まれたドアクローザの全体構成を示す斜視図である。
【００１５】
図１には、本実施形態に係るドアクローザ用ストップ装置が組み込まれたドアクローザが、使用状態として示されている。ドアクローザは、ドアＤの枠体の上枠Ｗに下方から取り付けられるブラケット１と、ドアＤに取り付けられるドアクローザ本体２と、ブラケット１とドアクローザ本体２とを連結するためのリンク３およびアーム４とを備えている。ブラケット１とリンク３とは、枢着部Ａにて回転可能に連結され、リンク３とアーム４とは、枢着部Ｂにて回転可能に連結され、アーム４とドアクローザ本体２とは、枢着部Ｃにて回転可能に連結されている。そして、ドアＤが開かれるとドアクローザ本体２に内蔵された図示しないバネが圧縮され、そのバネの復元力によってドアＤの閉じ動作が行われる。なお、ブラケット１とリンク３、リンク３とアーム４、およびアーム４とドアクローザ本体２は、ドアＤの開閉動作に連動して相対回転する一対のドアクローザ部品に相当する。
【００１６】
かかる構成を有するドアクローザにおいて、ドアＤをある一定の開放位置に保持するために用いられる装置がドアクローザ用ストップ装置１０であり、本実施形態においては、ブラケット１とリンク３、およびブラケット１とリンク３との連結部分（枢着部Ａ）に相当する部材が、本実施形態に係るドアクローザ用ストップ装置１０を構成している。以下、図２〜図７を参照図面に加えることで、本実施形態に係るドアクローザ用ストップ装置１０の具体的構成を説明する。
【００１７】
図２は、本実施形態に係るドアクローザ用ストップ装置の外観を示す図であり、図３は、図２で示した本実施形態に係るドアクローザ用ストップ装置の縦断面を示す図である。また、図４は、本実施形態に係るドアクローザ用ストップ装置の要部を示した部分上面図であり、図２で示したドアクローザ用ストップ装置からブラケット１とリンク３が取り外された状態が示されている。さらに、図５は、図２で示した本実施形態に係るドアクローザ用ストップ装置の要部を下方側から見た場合の図が示されており、図６は、図２中の符号ＶＩ−ＶＩ断面を示す縦断面部分拡大図であり、図７は、本実施形態に係るドアクローザ用ストップ装置の動作を説明するための図であって、図２中の符号ＶＩＩ−ＶＩＩ断面を示す図であり、図中の分図（ａ）は、ストップ機構が解除された状態を示し、分図（ｂ）は、ストップ機構が機能する直前の状態を示し、分図（ｃ）は、ストップ機構が機能した状態を示している。
【００１８】
本実施形態に係るドアクローザ用ストップ装置１０は、図１に示すように、ドアＤの上枠Ｗに取り付けられるブラケット１と、ドアＤに取り付けられるドアクローザ本体２に対して回転可能に設けられるアーム４に接続するリンク３と、ブラケット１とリンク３との連結部分に設けられる枢着部Ａと、を有して構成されている。ブラケット１とリンク３は、図２中の符号αで示されるブラケット１に対するリンク３の回転動作の中心軸線を回転中心として、相対的な回転動作を行うことが可能となっている。
【００１９】
また、枢着部Ａには、上述した回転動作のための機構に加えて、ドアＤをある一定の開放位置に保持するために用いられるストップ機構２０が形成されており、かかる機構の詳細構造が、図３〜図７に示されている。まず、図３〜図６を参照して、本実施形態に係るストップ機構２０の詳細な構成について説明する。
【００２０】
本実施形態に係るストップ機構２０は、リンク３に固定接続するとともに、ブラケット１に対するリンク３の回転動作の中心軸線α方向に開口する開口部２１ａを備える機構本体部２１と、機構本体部２１が備える開口部２１ａに貫通して設けられるとともに、ブラケット１が上方側に固定接続されるストップ軸２３と、ストップ軸２３の外周面に転動自在な状態で接触して配置された一対の係止部材としての一対のローラ２５と、外観略Ｕ字形をするとともに、当該略Ｕ字形が有する一対の開放端部２７ａによって一対のローラ２５を外方側からストップ軸２３の方向に向けて挟み込むように付勢する付勢手段としての板バネ２７と、を備えて構成されている。
【００２１】
図６に示すように、機構本体部２１に形成された開口部２１ａに対して貫通して設けられるストップ軸２３には、上下方向に貫通するボルト設置用のボルト用貫通孔２３ａが形成されており、このボルト用貫通孔２３ａ内には、ストップ軸２３を機構本体部２１に形成された開口部２１ａに対して回動自在な状態で設置するためのボルト２４が設置されている。このボルト２４は、上方側に有するボルト頭部２４ａと、ボルト２４の下方側に螺合設置されるナット２４ｂとによってストップ軸２３を機構本体部２１の開口部２１ａに対して位置固定しており、かかる構成によって、本実施形態に係るストップ軸２３は、機構本体部２１の開口部２１ａで回動自在な状態とされている。
【００２２】
また、機構本体部２１には、一対のローラ２５を設置するためのローラ用開口孔２１ｂが２つ形成されており、この２つのローラ用開口孔２１ｂの形成箇所に対して、一対のローラ２５が転動自在な状態で配置されている。そして、本実施形態に係る一対のローラ２５は、図６においてより詳細に示されるように、ストップ機構２０の内方側でストップ軸２３の軸外周面と接するように配置されるとともに、ストップ機構２０の外方側で板バネ２７が有する一対の開放端部２７ａと接するように配置されている。
【００２３】
ここで、本実施形態に係る板バネ２７は、図５、図６および図７で示されるように、外観形状が上面視で略Ｕ字形をした板状の弾性体として構成される部材であり、外観略Ｕ字形が有する一対の開放端部２７ａは、当該開放端部を狭める方向に向けて弾性力を及ぼすように構成されている。また、板バネ２７は、外観略Ｕ字形のＵ字の底面部が機構本体部２１に対して固定設置されている。したがって、本実施形態に係る板バネ２７は、一対の開放端部２７ａのそれぞれが一対のローラ２５のそれぞれを内方側に向けて押圧するように構成されている。つまり、本実施形態に係る一対のローラ２５は、外方側からストップ軸２３の方向に向けて常に板バネ２７の開放端部２７ａからの弾性押圧力を受けるとともに、内方側はストップ軸２３の軸外周面に対して押し付けられた状態となっている。
【００２４】
さらに、ストップ軸２３には、外周面に一対のローラ２５が係止可能な一対の係止凹部２３ｂを備えており、その外観形状が図７に示されている。ストップ軸２３に形成された一対の係止凹部２３ｂは、横断面視で嘴形状として形成された部位であり、一対のローラ２５それぞれの内方側を嵌め込むことができるように構成されている。したがって、図７中の分図（ａ）で示すように、一対の係止凹部２３ｂに対して一対のローラ２５が嵌まり込んでいない状態の場合には、機構本体部２１に対してストップ軸２３は非拘束状態となり、自由に回動動作を行うことが可能となっている。つまり、ブラケット１とリンク３は、図２で示されるブラケット１に対するリンク３の回転動作の中心軸線αを回転中心として、相対的な回転動作を自由に行うことが可能となっている。
【００２５】
一方、図７中の分図（ｂ）で示すように、板バネ２７の弾性力に抗するように嘴形状をした一対の係止凹部２３ｂがローラ２５を外方に向けて押し出し、図７中の分図（ｃ）で示すように、一対の係止凹部２３ｂに対して一対のローラ２５が嵌まり込んだ状態になった場合には、機構本体部２１に対してストップ軸２３は拘束状態となり、自由に回動動作を行うことが不可能となっている。つまり、本実施形態に係るストップ機構２０が機能することで、ブラケット１とリンク３は、図２で示されるブラケット１に対するリンク３の回転動作の中心軸線αを回転中心として、相対的な回転動作を自由に行うことができないこととなる。
【００２６】
なお、本実施形態に係る板バネ２７は、従来この種のドアクローザ用ストップ装置で用いられていたコイルバネと異なり、バネのストロークを短くすることができ、かかる作用によって弾性体としての板バネ２７の形状を小型化することができるという効果を得ることができる。
【００２７】
また、本実施形態に係る一対のローラ２５については、図６で示すように、略円筒形をしたローラとして構成されるとともに、ローラ２５の下方側の端部が凸形状となるように構成されている。そして、このローラ２５の凸形状は、機構本体部２１が備える開口部２１ａに形成された段差形状２１ｃと点接触するように構成されている。このような構成は、ローラ２５と段差形状２１ｃ（つまり、機構本体部２１）との接触面積を少なくすることで、転動動作を行うローラ２５の動きをスムーズなものとするために採用されたものである。かかる構成によって、本実施形態に係るストップ機構２０は、常に有効に機能することが可能となる。
【００２８】
上述したように、本実施形態では、枢着部Ａがストップ機構２０を有し、当該ストップ機構２０によって、ブラケット１に対して回転自在に設けられるリンク３が所定の位置で回転動作を停止するように構成されている。そして、かかる構成は、一対のローラ２５が一対の係止凹部２３ｂに嵌まり込むことで、ブラケット１に対するリンク３の所定位置での回転動作の停止が行われるという、部品点数が少なくコンパクト化された装置構成で実現されている。また、本実施形態では、ストップ機構２０を構成する弾性体として板バネ２７を採用したので、加工や組み立てを簡単に行うことが可能となっている。すなわち、本実施形態に係るドアクローザ用ストップ装置１０によれば、部品点数を極力少なくするとともに装置の小型化を図ることにより、加工や組み立てを簡単に行うことができる新たなドアクローザ用ストップ装置１０を提供することが可能となっている。
【００２９】
以上、本発明の好適な実施形態について説明したが、本発明の技術的範囲は上記実施形態に記載の範囲には限定されない。上記実施形態には、多様な変更又は改良を加えることが可能である。
【００３０】
例えば、上述した実施形態では、一対の係止部材として一対のローラ２５を用いた形態例を示したが、本発明に係る一対の係止部材には、あらゆる種類の係止部材を適用することが可能である。例えば、鼓形状をした鼓ローラや円錐台形状をしたコロ、球形のボールなどといった、あらゆる形態の係止部材を適用することが可能である。
【００３１】
その様な変更又は改良を加えた形態も本発明の技術的範囲に含まれ得ることが、特許請求の範囲の記載から明らかである。
【符号の説明】
【００３２】
１  ブラケット、２  ドアクローザ本体、３  リンク、４  アーム、１０  ドアクローザ用ストップ装置、２０  ストップ機構、２１  機構本体部、２１ａ  開口部、２１ｂ  ローラ用開口孔、２１ｃ  段差形状、２３  ストップ軸、２３ａ  ボルト用貫通孔、２３ｂ  係止凹部、２４  ボルト、２４ａ  ボルト頭部、２４ｂ  ナット、２５  ローラ、２７  板バネ、２７ａ  開放端部、Ａ，Ｂ，Ｃ  枢着部、Ｄ  ドア、Ｗ  上枠、α  中心軸線。
【図１】
2018119367.tif 000003
【図２】
2018119367.tif 000004
【図３】
2018119367.tif 000005
【図４】
2018119367.tif 000006
【図５】
2018119367.tif 000007
【図６】
2018119367.tif 000008
【図７】
2018119367.tif 000009